(57)【特許請求の範囲】
【請求項１】
光を入力する少なくとも一の縁入力面（１２）と該縁入力面に対し全体として垂直で対向する上部出力面（１６）及び下部出力面（１４）とを有する導波管（１０）と、導波管の下部出力面（１４）と隣接して設けられ下部出力面を経て入力される光の一部を選択的に局部的に減衰させ減衰されなかった光を導波管を経て逆に再配向する光減衰・再配向手段と、を備え、
導波管が複数の位置で下部出力面（１４）を経て光を抽出する複数の光抽出手段（５２、６０）を有し、光減衰・再配向手段が電気的に制御されるライトバルブ装置（３０）を有してなる反射表示装置。
【請求項２】
光抽出手段が導波管の下部出力面上に複数の容積・面ホログラフィ素子を有してなる請求項１の装置。
【請求項３】
光抽出手段が導波管の下部出力面上に複数のバンドパスフィルタを有し、光減衰・再配向手段はフィルタと隣接し光を導波管に再配向するホログラフィ素子を有してなる請求項１の装置。
【請求項４】
前記電気的に制御されるライトバルブ装置が、ポリマ分散された液晶（ＰＤＬＣ）、懸濁粒子装置（ＳＰＤ）、強誘電液晶表示装置、反強磁性液晶表示装置、ツイストネマチック液晶表示装置、スーパツイストネマチック液晶表示装置、光移相器、及び電気泳動装置からなるグループから選択される請求項１の装置。
【請求項５】
導波管がそれぞれの解像セル内の各光抽出手段により抽出される光を遮断する複数のバリア手段を有してなる請求項１の装置。
【請求項６】
導波管が光学的に透明な屈折材料の複数のセルと各セルを遮断する遮断手段とを有し、各セルにより上部及び下部出力面が連接され、遮断手段が屈折材料の屈折率より低い屈折率を有してなる請求項１の装置。
【請求項７】
導波管は導波管の下部出力面から上部出力面へ光を配向し複数のピクセル内の光を遮断する複数の勾配屈折率レンズを有してなる請求項１の装置。
【請求項８】
非視準光線を吸収する光連結手段を備え、光連結手段は導波管の下部出力而と光減衰・再配向手段との間に配設されてる請求項１の装置。
【請求項９】
光を導波管内に配向する折り返しプリズムを備えてなる請求項１の装置。
【請求項１０】
導波管の上部出力面に隣接する拡散器を備えてなる請求項１の装置。
【発明の詳細な説明】
本出願は１９９７年２月７日に出願された米国特許仮出願第６０／０３７，８４２号及び１９９７年７月２日に出願された米国特許仮出願第６０／０５１，５４６号の権利を得るものである。
（技術分野）
本発明は反射表示装置、特に各種のライトバルブを用いる反射表示装置に関する。
（背景技術）
現在の表示装置は一般に、コンパクトなパッケージ、高い色解像度、高いモノクロ解像度、高い輝度、高い色忠実度、広いグレイスケールダイナミックレンジ、高いコントラスト、高い鮮明度、広い観察角及び高い周辺光拒絶度等のビデオ表示装置に寄与可能な特性の１あるいは複数の点において劣っている。現在の表示技術を用いると設計上必要に応じて機能を犠牲にする要があるので、単一の表示装置で上記の特性のすべてを得ることは難しい。
例えば全体として弱い視準背光がＬＣＤピクセルと拡散観察スクリーンとの間の必要な分離間隙とを持つ構成を包有させると、表示鮮明度が損なわれる。また許容範囲内にある観察角を得るには、分離した観察スクリーン部材が存在しなければ、非視準光を使用する必要がある。一方ＬＣＤピクセルを通過する非視準光を使用すると、色反転や大きな観察角でのコントラストの損失が生じ望ましくない。この影響は広範囲を有し、入手可能な各種の補償フィルムを用いることにより低減される。しかしながらこのような補償フィルムによって表示装置の輝度が低下する。このような場合、コントラストは大巾に改善されるが、輝度が低くなりグレイスケールダイナミックレンジも狭くなる。
しかして上述した表示装置特性の、全てではなく、大半を持つ表示装置の出現が望まれている。
（発明の開示）
以下の添付図面に沿った本発明の詳細な説明から本発明の他の目的及び利点は明らかになろう。
【図面の簡単な説明】
図１は反射表示装置の簡略説明図、図２は図１の表示装置の導波管の部分簡略斜視図、図３は導波管のセルの簡略説明図、図３Ａは別の光抽出特徴を有する導波管の簡略説明図、図４は別の反射素子を有する導波管のセルの簡略説明図、図５はライトバルブを有する反射表示装置の簡略説明図、図６は第２の導波管を有する反射表示装置の簡略説明図、図７はカラー表示装置の導波管の部分簡略斜視図、図８は体積ホログラフィ素子を有する反射表示装置の簡略説明図、図８Ａは図８の導波管の低出力面を示す、体積ホログラフィ素子及びこれに隣接する勾配屈折率レンズの簡略説明図、図９は体積ホログラフィ素子及び勾配屈折率レンズを有する導波管の簡略説明図、図１０は再配向用のＵ形装置の簡略斜視図、図１１は光を反射表示装置の導波管内に配向する変向プリズムの簡略断面図、図１２はバンドパスライトフィルタおよび体積ホログラフィ素子を利用する反射表示装置の簡略説明図、図１３は階段ステップ状の反射素子の簡略説明図、図１４は拡散体を有する屈折媒体の簡略断面図、図１５は図１２の表示装置の屈折媒体の低出力面を示す、バンドパスフィルタおよび関連するホログラフィ素子の簡略説明図を示す。
（発明を実施するための最良の形態）
本発明は上述の従来構成の欠点を克服し、同時に低コスト表示装置を提供することを目的とする。本発明は高強度で、空間的に集中された遠隔光源からの予め視準された光を入力し、通常表示装置をエッジライトするよう配置する構成、あるいは表示装置の背部に置かれた蛍光灯と置換する構成がとられる。周知のバックライト手段のほとんどは予め視準された光を採用していない。これは蛍光灯のような大面積光源においてコックピット及び他の日光読取可能表示装置に対し所望のレベルの高い輝度を与える能力は大きな制限のあるエテンデゥ計算により決定された。従って本発明は優れたエテンデゥ特性を得て潜在的に所望の高い輝度を与えることの出来る金属ハロゲン化物ＨＩＤのような空間的に集中した強力光源を使用することになる。
使用する部品数が少なく、本発明により説明されるホログラフィ表示装置に必要な製作工程が少なくて済み、製造コストを低廉にできる。
本発明による反射表示装置が図１に示される。表示装置は光導波管１０を有し、光導波管１０は平行あるいはほぼ平行な光を発光する光源２０により照射される。例えば（空気中で）円錐半角６度以内に予め視準された白光が利用され得る。好ましくはこの光は平面偏光され２個の対向する入力ポート縁部１２から光導波管１０内に導入され、光導波管１０で長手方向に横切る光密度の均一性が向上される。これは２つの分離した光源あるいは単一の光源を用い光導波管１０の両方の入力ポート縁部１２へ光を好適に配向することより達成できる。この光源としては、キセノンランプ、水銀キセノンランプ、タングステンフィラメントランプ、小さな容積領域から発光可能な他のランプ等の高強度無極放電管、あるいは他の高強度放電管が使用可能である。
光導波管１０の下部出力面１４と隣接する電気制御のライトバルブ装置３０は下部出力面１４から抽出された光を入力し、減衰して再配向する。ライトバルブ装置３０は光を吸収し、偏光し、可変屈折率を与える構成がとられており、光を一部あるいは全部を通過させる構成、あるいは光通過を阻止する構成となっている。動作方法に関係なく、ライトバルブ装置３０は光を光導波管１０内へまた逆に光拡散体４０内へと配向する。
光導波管１０はガラスのような透明な屈折材料あるいはアクリル若しくはポリカーボネートのようなプラスチックで製造可能である。光が出力面１４、１６を経て抽出されるまで、全内面反射により光導波管１０内に光が閉じ込められる。光導波管１０の下部及び上部出力面１４、１６は互いに平行またはある角度をなして配設される。後者の場合光は光導波管１０の端部内にのみ入射される。
図２に示すように、光導波管１０はマトリックスをなす矩形断面の個々の解像度を持つ解像セル５０に分割される。解像セル５０の断面寸法は表示装置の単一ピクセルに相当するよう選択される。例えば６×８インチの表示装置では、６６μ×２００μの断面寸法の解像セルを選択できるが、無論他の寸法も使用可能である。解像セル５０が離散素子の場合、解像セル５０の材料の屈折率より小さな屈折率を有する材料を用いて光学的に離散可能に設けられている。解像セル５０は行及び列からなる矩形アレイにあるいは行及び列のいずれかを互い違いに配設可能である。
図３に示すように、光導波管１０の上部出力面１６内には芝が一部はぎ取られたようにエンボスあるいはモールド加工されたＶ字溝として光抽出部５２が形成される。例えばこのＶ字溝の深さは約２μにできる。１個あるいはそれ以上のＶ字溝の光抽出部５２は各解像セル５０に対し与えられる。図示の実施態様の場合、Ｖ字溝の面５４は互いに直角をなすか、あるいは上部出力面１６に対し４５度の角度をなすよう配置されているが、他の角度に設定可能であることは理解されよう。図示及び説明の都合上、Ｖ字溝は実際の装置の厚さに対し物理的に現れるより大に描いている。
光は光導波管１０の入力ポート縁部１２を入射し、光導波管１０を経て反対方向に同時に伝播する。光がＶ字溝の光抽出部５２の面５４の一方に臨界角より大きな角度で当たると、入射角に等しい角度で面５４で反射され光導波管１０の下部出力面１４へ向けられる。この反射光が解像セル５０の側部５６に当たると、解像セル５０間の小さな屈折率ないしは全内面反射のため、光エネルギが解像セル５０に閉じ込められる。
光導波管１０の厚さ及びＶ字溝の光抽出特徴部５２の深さは表示装置の光抽出効率及び均一性が最適になるよう選択される。光導波管１０の厚さが増加ないしはＶ字溝の光抽出部５２の深さが減少すると、表示装置の均一性（表示面を横断して測定された、輝度分散の差と輝度分散の和との比）は増加するが、導波抽出効率（導波下部出力線束出力と導波線束入力との比）が減少する。
Ｖ字溝の光抽出部５２に代えて、図３Ａの台形の光抽出部６０も採用可能である。光導波管１０を経て伝播する光が台形の光抽出部６０の対向する傾斜側部６２の一方に当たると、光は光導波管１０の下部出力面１４に向かい且つ下方に反射される。
また光導波管１０から光を抽出する構成体は下部出力面１４上に配置できよう。この構成には光の再配向用の屈折素子、回析素子、反射素子あるいはこれらの組み合わせが使用される。例えば図４に示すように、対向する傾斜切断部７０が下部出力面１４に形成され、ここでは各切断部は面７２に当たる光を内面において全反射する空気に晒される面７２をなしている。また面７２にはアルミニウムのような反射材料で塗布されて遮られた光を反射する。切断部が４５度の角度をなす場合、反射光は下部出力面１４に対し直角の方向に伝播し、ライトバルブ装置３０へ送られる。
ライトバルブ装置３０は光を選択的に通過させるか、あるいは光の通過を一部あるいは全部阻止する電気制御装置で構成可能である。この装置は光吸収、散乱、偏光あるいは可変屈折率に関連して動作する。このような装置の一例はポリマ分散された液晶（ＰＤＬＣ）のような分散形ライトバルブである。ＰＤＬＣについては、スタンフォード・リソーシイス社（１９９５）、リキッド・クリスタル・ディスプレイズのページ８５〜９０に説明されている。ＰＤＬＣは一般にモノリシック・シートであるが、サイズ及び位置が光導波管１０の解像セル５０に相当する「解像度セル」あるいは「ピクセル」に分割されるものと考えられる。
別の実施態様のライトバルブは懸濁粒子装置（ＳＰＤ）である。ＳＰＤには、１９９６年４月・５月号、インフォメーション・ディスプレイの「懸濁粒子装置」と題したサクシ及びトンプソンによる記事に開示されている。強誘電及び反強磁性液晶表示装置、ツイストネマチック（ＴＮ）及びスーパツイストネマチック（ＳＴＮ）活性マトリックスＬＣＤ、電気泳動装置、及び屈折率を変更する光移相器もライトバルブとして機能させ得る。
図５の断面図で示すように、ライトバルブ装置３０は光導波管１０の下部出力面１４と隣接し、インジウム錫酸化物（ＩＴＯ）あるいは他の電極材料からなる薄層の電極層１００と、ライトバルブ層１１０と、互いに電気的に絶縁された一連の反射ピクセル電極１２２からなる反射層１２０と、プリント印刷基板（ＰＣＢ）のような下部基板１３０とを包有する。ＰＣＢは力を加えると堅牢あるいは多少柔軟にできる。ＰＣＢは各種基板を用いて、減色法（例えばエッチング）あるいは加色法のいずれか、またはこれらの方法を組み合わせて電気導体を作り製造できる。あるいはＰＣＢはシステムの電子素子、光源２０および関連する電子素子を含む他の電子装置および光学装置（ライトバルブ駆動装置（図示せず）に限定されない）を集積化するとき使用できる。
反射層１２０内の反射ピクセル電極１２２のサイズおよび形状は通常解像セル５０のサイズ及び形状と一致するが、用途に合わせて他の構成も採ることもできる。ライトバルブ装置３０が光導波管１０の下部出力面１４に接着する場合、Ｖ字溝の光抽出部５２の面５４により抽出されるまで光導波管１０内の予め視準された光が（全内面反射により）導波管内に確実に捕獲されるようにするため、使用される接着剤の屈折率は光導波管１０の屈折率より小さくする必要がある。
電圧が電極層１００と反射ピクセル電極１２２との間に印加されると、電界がその間に生じ、反射ピクセル電極１２２と隣接するライトバルブ層１１０の一部の結晶微細構造が変更されている。印加電圧が変更されるに伴い、この構造では光通過をほぼ全部阻止する媒体から光線を一部減衰し光線を自由に通過させる透明装置へ送る媒体へ変化する。また静的動作に代えて、迅速に動作するオンオフ、即ちバイナリ動作するライトバルブを用い、変化する負荷サイクルで駆動して時間全体に対し所望の光を得ることができる。
ライトバルブ層１１０が透明あるいはぼぼ透明であるとき、光導波管１０の下部出力面１４から出る光はライトバルブ層１１０を通過し、次に反射ピクセル電極１２２に達してライトバルブ層１１０を経、逆に反射される。最終的には光はＶ字溝の光抽出部５２の面５４で反射されないときは、上部出力面１６を経て光導波管１０から出る。面５４により反射された光は反射ピクセル電極１２２により反射された光の比較的小さな割合に相当し、いずれの場合も光導波管１０内で再使用されることは理解されよう。
隣接する解像度セル間の光学的分離を更に増大するため、図６に示すように対応する解像セル２０２の別の導波管装置２００が第１の光導波管１０とライトバルブ装置３０の電極層１００との間に配置される。第２の導波管装置２００内の解像セル２０２の壁部２０４には、低い屈折率の、透明な層が形成され、更にその上に散乱されなかった視準光の全てを内面で反射し且つ散乱された非視準光を吸収するブラックレジンのような吸光性材料層が形成される。これにより散乱された非視準光が隣接する解像セル２０２に入ることが防止される。このとき低い屈折率のブラックレジンのみも使用できる。第２の導波管装置２００内の解像セル２０２の深さを増加してさほど正確に平行でない視準光の通過を制限することができる。
光拡散体４０（図１参照）は光導波管１０の上部出力面１６から光線を入力し、特定用途に所望される程度に拡散するように構成され得る。好適な光拡散体については、ビーソン等により１９９６年１２月２日に出願された「光を拡散する光構造体」と題する米国特許出願第０８／７５９，３３８号、ビーソン等による１９９５年１０月３１日に出願された「テーパ付けされた光重合導波管からなるアレイを製造する方法」と題する米国特許第５，４８１，３８５号、ジマーソン等による１９９６年１月２日に出願された「テーパ付けされた導波管からなるアレイを有する直接観察表示装置」と題する米国特許第５，４８１，３８５号、ビーソン等よる「２あるいはそれ以上の屈折率を有する光導波管及び光導波管を製造する方法」と題する米国特許第５，６９６，８６５号等々に開示されている。これらの米国特許はすべて本願と同一譲受人に譲受けされている。特にテーパ付けされた導波管は吸光性ブラック顆粒材料あるいは吸収性ブラック被覆材により外囲されて、外周光からのまぶしさを低減しコントラストを改良すべく設けられている。
反射表示装置は色出力を与えるよう構成することができる。光源２０からの光は、図７に示すようにスペクトル的に可視可能な光原色バンド（例えば、赤、緑、青）に分けられる。次に各色は別個の経路を経て赤、緑、青の個々の列に送られる。個々の色はピクセル単位で選択され、必要に応じて周知の多重化技術を伴用して解像セルをパスさせたり、着色光を散乱させて、ライトバルブ装置を制御する。色入力と白黒入力との変更を行うことにより、この装置は色出力及び白黒出力の両方を行うことができ、解像度を変更可能に設けることもできる。
別態様の表示装置においては、光を抽出し配向するのに体積あるいは面ホログラフィ素子が使用される。導波管から光を抽出するため、各色及び各ピクセルに対し色選択伝達、分離位相のみの、体積あるいは面ホログラフィ素子が使用される。ホログラフィ素子については、１９７０、ニューヨーク、ジョン・ワイリ・アンド・サンズ社刊の、コールフィールド・エイチ・ジェー・アンド・ルー・エスによる「ホログラフィの応用」、ページ４３〜４９に説明されている。図８に示すようにホログラフィ素子３００は光導波管１０の下部出力面１４上に配置される。ホログラフィ素子３００は光の特定の波長あるいはある範囲の波長、例えば所定の範囲の伝播方向のホログラフィ素子３００に到達する赤、緑、青の原色に相当する波長の光を通過するように構成されている。
光導波管１０の下部出力面１４が図８Ａに示される。図８Ａは具体的にはホログラフィ素子３００と隣接する勾配屈折率レンズ３３０との構成を示す。各ホログラフィ素子３００は隣接する勾配屈折率レンズ３３０と協働して解像セル５０を形成する。ホログラフィ素子及び勾配屈折率レンズを収納するため、解像セルはアスペクト比が３：１で寸法が６６μｍ×２００μｍであるが、用途に応じて他のアスペクト比及び寸法が選択可能である。また勾配屈折率レンズ３３０は隣接するレンズと重なりを生じないように配設すれば解像セル５０の境界部を越えて延長できる。
図８を参照するに所定範囲の波長及び入射角を有する光はホログラフィ素子３００を経て通過する。ホログラフィ素子３００は光屈折媒体３０４を経、更にＰＤＬＣ、ＳＰＤあるいは他の好適な光減衰機構のようなライトバルブ３１０を経て空隙あるいは他の低屈折率材料３０２を横切る光を収束させ配向する。
反射ピクセル電極３２０は第１の勾配屈折率レンズ３３０の存在するホログラフィ素子３００の焦点でライトバルブ３１０を経、光を逆に光導波管１０の下部出力面１４へその下部出力面１４上の点へ向かって反射する。ライトバルブ３１０の減衰量により、殆どすべて、一部あるいは殆どゼロの光がライトバルブ３１０により勾配屈折率レンズ３３０へ伝達される。
第１の勾配屈折率レンズ３３０は当業者に周知の技術を用いて光導波管１０の面の直上若しくは直下、または導波管自体の内部に、あるいは光屈折媒体３０４の面上に設けられることが理解されよう。第１の勾配屈折率レンズ３３０は上部出力面１６に対し垂直な方向に上部出力面１６へ焦点し配向する。第１の勾配屈折率レンズ３３０に代えて体積あるいは面ホログラフィ素子を使用できる。
下部出力面１４上の第１の勾配屈折率レンズ３３０から、一連の内部勾配屈折率レンズ３４０ａ〜ｃは図９に示すように光を上方に再焦点し配向する。個々の内部勾配屈折率レンズ３４０の焦点長およびその間の垂直方向の間隔は、確実に光導波管１０の上部出力面１６へ移動する光束が互いに重ならず、隣接する間隔解像セル間のクロストークが生じないように選択される。
上部出力面１６の結像領域３４１を小さくするためには、最終段の内部勾配屈折率レンズ３４０ｃに対し短い焦点長のものを選択できる。好ましくは上部出力面１６には、結像領域３４１の占める表面積を除きブラックマトリックスで被覆される。結像が小さいと、導波管上面のブラックマトリックス材料の占める面積が大きく、周辺光反射あるいは表示装置からの散乱が抑えられる。更に赤、緑、青の原色に相当する上部レンズからの収束する光束の軸は偏向され、各々の焦点が重ね合わせられて導波管の上部に三色ピクセルあるいは解像セル位置が形成される。
光を光抽出ホログラムから図９のグリンレンズ３３０へ光を配向するため、図８のライトバルブ３１０及び反射ピクセル電極３２０に代えて、図１０に示すＵ形チャンネル装置３５０が採用可能である。Ｕ形チャンネル装置３５０は入力面３５２、出力面３５４、ＩＴＯあるいは他の電極材料からなる層３５８により区画されるライトバルブ層３５６、および２個の傾斜面３６０を有する。ライトバルブ層３５６としてはＰＤＬＣ、ＳＰＤあるいは他の好適な光減衰装置が使用可能である。傾斜面３６０はＴＩＲにより動作する反射器として機能する。あるいはＴＩＲが一部あるいは存在しなければ、傾斜面３６０にアルミニウムのような反射被覆層を設けることもできる。光は入力面３５２を経てＵ形チャンネル装置３５０に入り、出力面３５４を経て出る。ライトバルブ層３５６は電気的に制御されてＵ形チャンネル装置３５０の光スループットを変化する。ＰＤＬＣのような散乱形ライトバルブがライトバルブ層３５６に対し採用されると、ブラックフィルムあるいは顆粒被覆層が、入力面、出力面及び傾斜面３５２を除くＵ形チャンネル装置３５０のすべての面に設けられ、Ｕ形チャンネル装置３５０内での散乱光を吸収し表示装置のコントラストを向上することが可能になる。
図１を参照するに表示装置の縁部の周囲の空間要件を最小にするため、折り返しレンズ４００を用いて光を光導波管１０に配向可能である。図１１に示すこの折り返しレンズ４００はライトパイプ４１０から光を入力しその光を光導波管１０へ再配向する。光導波管１０に入射する予め視準された光の方向を偏向し、導波管内の全内面反射の数を増加するため、オプションとしてのノコ歯状の入力面４２０あるいは回析格子、体積または面ホログラフィ被覆層、あるいはバイナリ光学面を光導波管１０の入力ポート縁部１２上に使用し、光導波管１０に入射する際視準光線を上方および下方に交互に偏向可能である。例えばこのノコ歯状縁部は互いに９０度をなし、そのピッチがインチ当たり５０セレーションにできる。ノコ歯状面が光導波管１０上に好適に配置される構成、あるいは光導波管１０と隣接して別の素子上に配置される構成をとることは理解されよう。この別の素子は光学接着剤により付着されるか、あるいはこの素子と光導波管１０との間に小さな空隙が形成される。
色選択光抽出は図１２に示すようにバンドパス光フィルタを用いて実行できる。光はオプションとしてノコ歯状縁部５１０を経て導波管５００に入射する。光は導波管を移動し、導波管５００の面で反射され下面５０４上のバンドパスフィルタ５２０に達する。バンドパスフィルタ５２０としては、二色フィルタ、位相のみの発信用の体積ホログラフィ素子あるいは特定の範囲の波長を通過させ他の波長は殆ど完全に反射する他の波長選択装置を使用できる。
バンドパスフィルタ５２０は選択されたバンドの光波長を屈折媒体層５３０へ送り且つそれ以外の波長は反射する。送られた光はライトバルブ５４０を通過し図８の対応する素子と機能的に同様で電極装置５５０により反射される。この配向された光は次にホログラフィ伝達方向拡散素子５６０を経、ホログラフィ伝達方向拡散素子５６０と導波管５００の下面５０４との間の空隙５７０を経て導波管５００内に逆に移動する。ホログラフィ伝達方向拡散素子５６０は光線の伝播方向を変更しその光線を拡散する。この結果光線は導波管５００の上面５０８へと上方へ移動する。
光線を反射するために、反射ミラー電極５５０に代えて、ライトバルブ５４０の下部に配置される、図１３に示されるような階段ステップ状ミラー６００を使用できる。更に図１４に示すように、例えばマイクロレンズからなるアレイのような拡散構造体６２０がホログラフィ素子に代えて屈折媒体層５３０の上面５３２（図１２参照）上に配置可能である。これらのマイクロレンズは「テーパ付けされた導波管を使用し昭明が改良されたバックライト装置」と題され１９９７年１月２８日に特許されたジマーマン等による米国特許第５，５９８，２８１号に開示される構成で実現できよう。
屈折媒体層５３０の出力上面５３２に対し直角方向から見た図が図１５に示されている。この図はバンドパスフィルタ５２０および関連するホログラフィ素子５６０の構成を示す。バンドパスフィルタ５２０及び２つのホログラフィ素子５６０は解像セル５７０を構成する。実線、点線および破線はそれぞれ異なる色バンド例えば赤、緑、青の解像セル５７０を表している。図示のように互い違いに配置することにより、構成素子のすべてが確実に配列され得、解像セル５７０の平面密度が増加され延いては表示装置の解像度が向上される。
本発明の好ましい実施態様と考えられるものについて上述したが、本発明の精神から離れる事なく他の設計変更も可能であり、本発明の技術的範囲に入るすべての実施態様を包有することは当業者には理解されよう。
【図１】
0004202429.tif 000002
【図３Ａ】
0004202429.tif 000003
【図２】
0004202429.tif 000004
【図３】
0004202429.tif 000005
【図４】
0004202429.tif 000006
【図５】
0004202429.tif 000007
【図６】
0004202429.tif 000008
【図７】
0004202429.tif 000009
【図８】
0004202429.tif 000010
【図８Ａ】
0004202429.tif 000011
【図９】
0004202429.tif 000012
【図１０】
0004202429.tif 000013
【図１１】
0004202429.tif 000014
【図１２】
0004202429.tif 000015
【図１３】
0004202429.tif 000016
【図１４】
0004202429.tif 000017
【図１５】
0004202429.tif 000018